(57)【要約】【課題】変動する発信予約の状況を移動機（ＵＥ）において確認する。【解決手段】ＢＴＳ２０のエリアにおけるＵＥ３０から発信要求を受信し、ＢＴＳ２０の個別チャネルのリソースに空きがない場合に、発信要求を行ったＵＥ３０に対し発信予約を行う。ＲＮＣ１０は、発信要求を行ったＵＥ３０の識別情報と予約時の時刻情報を格納する発信情報記憶部１４を備え、発信情報記憶部１４の内容を参照し、ＢＴＳ２０のエリアにおける発信予約中の移動機数情報を生成してＢＴＳ２０のエリアにおける全てのＵＥに通知する。ＢＴＳ２０は、ＵＥ３０との間に予約情報チャネルを生成する予約情報ＣＨ生成部２３を備え、予約情報チャネルを用いて移動機数情報をＵＥ３０に通知する。ＲＮＣ１０は、ＢＴＳ２０の個別チャネルのリソースに変更が生じた場合に、移動機数情報の更新を行う。【選択図】図１
2009141409.tif 000002
【特許請求の範囲】
【請求項１】
無線基地局装置のエリアにおける移動機から発信要求を受信し、無線基地局装置の個別チャネルのリソースに空きがない場合に、発信要求を行った移動機に対し発信予約を行う移動体通信システムであって、
前記無線基地局装置の上位局は、前記発信要求を行った移動機の識別情報と予約時の時刻情報を格納する発信情報記憶部を備え、前記発信情報記憶部の内容を参照し、前記無線基地局装置のエリアにおける発信予約中の移動機数情報を生成して前記無線基地局装置のエリアにおける全ての移動機に通知することを特徴とする移動体通信システム。
【請求項２】
前記無線基地局装置は、移動機との間に予約情報チャネルを生成する予約情報チャネル生成部を備え、前記予約情報チャネルを用いて前記移動機数情報を移動機に通知することを特徴とする請求項１記載の移動体通信システム。
【請求項３】
前記無線基地局装置の上位局は、前記無線基地局装置の個別チャネルのリソースに変更が生じた場合に、前記移動機数情報の更新を行うことを特徴とする請求項１または２記載の移動体通信システム。
【請求項４】
無線基地局装置のエリアにおける移動機から発信要求を受信し、無線基地局装置の個別チャネルのリソースに空きがない場合に、発信要求を行った移動機に対し発信予約を行う移動体通信システムであって、
前記無線基地局装置の上位局は、前記発信要求を行った移動機の識別情報と予約時の時刻情報を格納する発信情報記憶部を備え、前記発信情報記憶部の内容を参照し、前記発信要求を行った移動機の発信予約順情報を生成して前記発信要求を行った移動機に通知することを特徴とする移動体通信システム。
【請求項５】
前記無線基地局装置は、移動機との間に予約情報チャネルを生成する予約情報チャネル生成部を備え、前記予約情報チャネルを用いて発信予約順情報を移動機に通知することを特徴とする請求項４記載の移動体通信システム。
【請求項６】
前記無線基地局装置の上位局は、前記無線基地局装置の個別チャネルのリソースに変更が生じた場合に、発信予約順情報の更新を行うことを特徴とする請求項４または５記載の移動体通信システム。
【請求項７】
移動体通信システムが、無線基地局装置のエリアにおける移動機から発信要求を受信し、無線基地局装置の個別チャネルのリソースに空きがない場合に、発信要求を行った移動機に対し発信予約を行う発信予約方法であって、
前記無線基地局装置のエリアにおける全ての移動機が、前記無線基地局装置のエリアにおける発信予約中の移動機数情報を受信可能とすることを特徴とする発信予約方法。
【請求項８】
前記無線基地局装置は、移動機との間に設けた予約情報チャネルを用いて前記移動機数情報を移動機に通知することを特徴とする請求項７記載の発信予約方法。
【請求項９】
前記無線基地局装置の個別チャネルのリソースに変更が生じた場合に、前記移動機数情報の更新がなされることを特徴とする請求項７または８記載の発信予約方法。
【請求項１０】
移動体通信システムが、無線基地局装置のエリアにおける移動機から発信要求を受信し、無線基地局装置の個別チャネルのリソースに空きがない場合に、発信要求を行った移動機に対し発信予約を行う発信予約方法であって、
前記発信要求を行った移動機は、自端末の発信予約順情報を受信可能とすることを特徴とする発信予約方法。
【請求項１１】
前記無線基地局装置は、移動機との間に設けた予約情報チャネルを用いて前記発信予約順情報を移動機に通知することを特徴とする請求項１０記載の発信予約方法。
【請求項１２】
前記無線基地局装置の個別チャネルのリソースに変更が生じた場合に、前記発信予約順情報の更新がなされることを特徴とする請求項１０または１１記載の発信予約方法。
【発明の詳細な説明】
【技術分野】
【０００１】
本発明は、移動体通信システム及び発信予約方法に係り、特に、複数の移動体端末（移動機、以下、ＵＥと呼ぶ）と、ＵＥと無線を介して接続される無線基地局装置（以下、ＢＴＳと呼ぶ）と、ＢＴＳを制御する無線基地局制御装置（無線ネットワーク制御装置、以下、ＲＮＣと呼ぶ）を備える移動体通信システム、およびこのシステムにおける発信予約方法に係る。
【背景技術】
【０００２】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）は、第三世代携帯電話の無線アクセス方式の一つである。その規格は、３ＧＰＰ（３ｒｄ  Ｇｅｎｅｒａｔｉｏｎ  Ｐａｒｔｎｅｒｓｈｉｐ  Ｐｒｏｊｅｃｔ）において世界的な共通仕様として規格されている。Ｗ−ＣＤＭＡは、主にＲＮＣ−ＵＥ間、ＢＴＳ−ＵＥ間において、共通ＣＨ（Ｃｏｍｍｏｎ  Ｃｈａｎｎｅｌ）と個別ＣＨ（Ｄｅｄｉｃａｔｅｄ  Ｃｈａｎｎｅｌ）と呼ばれるデータ転送上の論理的なＣＨを定義して、個々に拡散符号を割り当てて多重することで通信を行う方式である。
【０００３】
ここで、各呼に対して個々に割り当てられる個別ＣＨについて、個別ＣＨの拡散符号数にはユーザに対して十分な余裕があるものの、演算機能やメモリなどのハードーウェアの処理能力に依存して、装置として利用できる数に制限がある。このため、ＢＴＳに対してＢＴＳの処理可能な個別ＣＨ数以上の発着呼要求があった場合は、個別ＣＨを割り当てることが出来ず、発信失敗として処理される。発信失敗時に、ユーザは再度発信を試みるしかないが、個別ＣＨに空きが生じるまで接続は出来ず、発信が混み合った状況下では、個別ＣＨの空きを知る手段もないため、接続は大変困難である。
【０００４】
そこで、ＢＴＳにおける個別ＣＨに空きがない状態におけるＵＥからの発信に対し、発信を予約してユーザに対して通知する手段を備えることで、ＵＥの発信失敗を減らし、確実な呼の接続手段を提供するシステムが知られている（特許文献１、２、３参照）。
【０００５】
【特許文献１】特開平１１−０８８９４６号公報
【特許文献２】特表２００２−５１８９０５号公報
【特許文献３】特表２００３−５１０９８８号公報
【発明の開示】
【発明が解決しようとする課題】
【０００６】
以下の分析は本発明において与えられる。
【０００７】
従来の移動体通信システムでは、ＢＴＳの個別ＣＨに空きがない状態でＢＴＳのエリア内のＵＥから新たに発信があった場合、この発信を予約して順番付けを行う。個別ＣＨに空きが発生した場合、予約したＵＥに対して発信を可能とするので、ユーザの不満をある程度解消することができる。しかしながら、従来の移動体通信システムにおいて、ユーザは、発信を予約する際に、ＢＴＳにおける予約の状況を把握することができない。すなわち、ＵＥにおいて、予約した場合、予約の順番は何番目であるか、すでに予約している人（端末）がどの位あるか、といった発信予約の状況が分からず、ユーザの不満を充分解消するには至らない虞がある。
【０００８】
したがって、本発明の目的は、ＢＴＳの個別ＣＨに空きがない状態で発信を予約する際に、発信予約の状況を知ることができる移動体通信システム及び発信予約方法を提供することにある。
【課題を解決するための手段】
【０００９】
本発明の１つのアスペクト（側面）に係る移動体通信システムは、無線基地局装置のエリアにおける移動機から発信要求を受信し、無線基地局装置の個別チャネルのリソースに空きがない場合に、発信要求を行った移動機に対し発信予約を行う移動体通信システムであって、無線基地局装置の上位局は、発信要求を行った移動機の識別情報と予約時の時刻情報を格納する発信情報記憶部を備え、発信情報記憶部の内容を参照し、無線基地局装置のエリアにおける発信予約中の移動機数情報を生成して無線基地局装置のエリアにおける全ての移動機に通知する。
【００１０】
本発明の移動体通信システムにおいて、無線基地局装置は、移動機との間に予約情報チャネルを生成する予約情報チャネル生成部を備え、予約情報チャネルを用いて移動機数情報を移動機に通知することが好ましい。
【００１１】
本発明の移動体通信システムにおいて、無線基地局装置の上位局は、無線基地局装置の個別チャネルのリソースに変更が生じた場合に、移動機数情報の更新を行うことが好ましい。
【００１２】
本発明の他のアスペクト（側面）に係る移動体通信システムは、無線基地局装置のエリアにおける移動機から発信要求を受信し、無線基地局装置の個別チャネルのリソースに空きがない場合に、発信要求を行った移動機に対し発信予約を行う移動体通信システムであって、無線基地局装置の上位局は、発信要求を行った移動機の識別情報と予約時の時刻情報を格納する発信情報記憶部を備え、発信情報記憶部の内容を参照し、発信要求を行った移動機の発信予約順情報を生成して発信要求を行った移動機に通知する。
【００１３】
本発明の移動体通信システムにおいて、無線基地局装置は、移動機との間に予約情報チャネルを生成する予約情報チャネル生成部を備え、予約情報チャネルを用いて発信予約順情報を移動機に通知することが好ましい。
【００１４】
本発明の移動体通信システムにおいて、無線基地局装置の上位局は、無線基地局装置の個別チャネルのリソースに変更が生じた場合に、発信予約順情報の更新を行うことが好ましい。
【００１５】
本発明のさらに他のアスペクト（側面）に係る発信予約方法は、移動体通信システムが、無線基地局装置のエリアにおける移動機から発信要求を受信し、無線基地局装置の個別チャネルのリソースに空きがない場合に、発信要求を行った移動機に対し発信予約を行う発信予約方法であって、無線基地局装置のエリアにおける全ての移動機が、無線基地局装置のエリアにおける発信予約中の移動機数情報を受信可能とする。
【００１６】
本発明のまたさらに他のアスペクト（側面）に係る発信予約方法は、移動体通信システムが、無線基地局装置のエリアにおける移動機から発信要求を受信し、無線基地局装置の個別チャネルのリソースに空きがない場合に、発信要求を行った移動機に対し発信予約を行う発信予約方法であって、発信要求を行った移動機は、自端末の発信予約順情報を受信可能とする。
【発明の効果】
【００１７】
本発明によれば、予約情報ＣＨを使用して発信予約の状況を通知・更新することで、変動する発信予約の状況をＵＥにおいて確認することができる。
【発明を実施するための最良の形態】
【００１８】
本発明の実施形態に係る移動体通信システムは、ＢＴＳのＣＨ数に空きがない状態においてＵＥからの発信要求があった場合、ＲＮＣにおいて発信要求の情報を記憶すると共に、ＢＴＳから発信元のＵＥに対して発信予約状況を通知する。そして、ＢＴＳのＣＨ数に空きが生じた場合に、記憶している発信予約に基づき順に接続をすることで、回線混雑時のＵＥの発信失敗を削減する。
【００１９】
ＢＴＳは、ＲＮＣと有線によって接続するための伝送路インタフェース部と、ＲＮＣからの制御を受けてＢＢ処理部を管理して呼処理の制御を行う呼処理制御部と、Ｗ−ＣＤＭＡのベースバンド処理を担うＢＢ処理部と、無線信号への変換を行うＲＦ部と、ＵＥに発信予約の状況を転送するために専用のＣＨを生成する役割を担う予約情報ＣＨ生成部を備える。
【００２０】
また、ＲＮＣは、ＢＴＳと有線によって接続するための伝送路インタフェース部と、ＢＴＳの制御や設定を行うＢＴＳ制御部と、ＵＥの発着信要求に応じて呼の接続管理やデータ変換を行う呼接続変換部と、ＵＥからの発信要求を記憶する役割を担う発信情報記憶部とを備える。
【００２１】
ＲＮＣは、配下にあるＢＴＳのエリアにおけるＵＥから発信要求を受信し、ＢＴＳの個別ＣＨのリソースに空きがない場合に、発信要求を行ったＵＥの識別情報と要求内容を発信情報記憶部に格納する。そして、ＢＴＳに対し、ＵＥへの発信予約の通知を要求する。発信予約の通知を要求されたＢＴＳは、予約情報ＣＨ生成部において生成した予約情報ＣＨにＵＥの識別情報を付加して送信し、ＵＥに対して発信予約状態への移行を指示する。
【００２２】
予約情報ＣＨを受信したＵＥは、発信予約状態となり、上位からの発信許可の待受け状態となる。予約情報ＣＨは、ＣＨに対する接続までの予約数（接続順）の情報を含み、ＵＥにおいて確認可能とする。
【００２３】
ＲＮＣでは、接続中の呼が切断される等によってＢＴＳの個別ＣＨに空きが生じた場合に、発信情報記憶部に格納された予約情報を参照し、予約順の最若番のＵＥの呼接続を行う。発信予約中の別ＵＥに対しては、予約情報ＣＨによって予約数の更新がなされる。また、予約情報ＣＨは、発信要求していないエリア内のＵＥでも受信可能とされ、現在そのエリアにおいて発信予約しているＵＥ数を確認可能とする。
【００２４】
このような移動体通信システムによれば、基地局の個別ＣＨに空きがない状態をＵＥ側で確認可能とし、空きがない状態でＵＥが発信した場合には接続予約をして順番付けをすることで、端末側での再発信を削減し、回線混雑時にＵＥの発信順に回線接続することを可能とする。そして、予約情報ＣＨを使用して発信予約の状況を通知・更新することで、変動する発信予約の状況をＵＥにおいて確認することができる。
【００２５】
以下、実施例に即し、図面を参照して詳細に説明する。
【実施例１】
【００２６】
図１は、本発明の第１の実施例に係る移動体通信システムの構成を示すブロック図である。図１において、移動体通信システムは、ＲＮＣ（Ｒａｄｉｏ  Ｎｅｔｗｏｒｋ  Ｃｏｎｔｒｏｌ  ｅｑｕｉｐｍｅｎｔ、無線ネットワーク制御装置）１０、ＢＴＳ（Ｂａｓｅ  Ｔｒａｎｃｅｉｖｅｒ  Ｓｔａｔｉｏｎ、無線基地局装置）２０、ＵＥ（Ｕｓｅｒ  Ｅｑｕｉｐｍｅｎｔ、移動機）３０、ＣＮ（コアネットワーク）４０を備える。ＢＴＳ２０は、１または複数のＵＥ３０を無線回線を介して接続する。ＲＮＣ１０は、ＢＴＳ２０を制御すると共に、上位のＣＮ４０を介して図示されない他の固定網や移動通信網と接続する。
【００２７】
始めに、ＲＮＣ１０の構成について説明する。ＲＮＣ１０は、伝送路インタフェース部１１、呼接続変換部１２、ＢＴＳ制御部１３、発信情報記憶部１４を備える。
【００２８】
伝送路インタフェース部１１は、ＢＴＳ２０やＣＮ４０と接続されたそれぞれの伝送路の規格に基づく物理レイヤの処理を担う。ＢＴＳ２０やＣＮ４０からの受信データについて物理レイヤのフレーム変換処理を行い、通信データを呼接続変換部１２へ振り分け、基地局装置制御用のメッセージをＢＴＳ制御部１３へ振り分ける。また、呼接続変換部１２とＢＴＳ制御部１３からの受信データについて、伝送路規格のフレーム化を行い、ＢＴＳ２０やＣＮ４０へと転送する。
【００２９】
呼接続変換部１２は、接続されたＢＴＳ２０のリソースの管理と、それに基づいた通信データの転送処理を担う。接続されたＢＴＳ２０のカバーするエリア内のＵＥ３０の位置情報を管理し、ＢＴＳ２０やＣＮ４０から要求された新規の呼に対して、接続先のＵＥ３０が位置するエリアのＢＴＳ２０に通信データを転送する。また、接続先の通信方式の規格に合わせて、通信データの変換処理を行う。
【００３０】
ＢＴＳ制御部１３は、接続されたＢＴＳ２０に対する監視と制御を行い、ＢＴＳ２０に対する制御用のメッセージの送信や受信の役割を担う。主なＢＴＳ２０の制御には、ＢＴＳ２０が呼に対してＷ−ＣＤＭＡのベースバンド処理を行うためのパラメータの設定や、ＢＴＳ２０の状態監視や状態制御などがある。
【００３１】
発信情報記憶部１４は、ＢＴＳ２０の個別ＣＨに空きがない状態において新規の発信要求がＢＴＳ２０のエリア内のＵＥ３０からあった場合に、ＵＥ３０からの発信情報を記憶して予約するための機能部である。
【００３２】
次に、ＢＴＳ２０の構成について説明する。ＢＴＳ２０は、伝送路インタフェース部２１、呼処理制御部２２、予約情報ＣＨ生成部２３、ＢＢ処理部２４、ＲＦ部２５を備える。
【００３３】
伝送路インタフェース部２１は、ＲＮＣ１０の伝送路インタフェース部１１とほぼ同じく、ＲＮＣ１０と接続された伝送路の規格に基づく物理レイヤの処理を担う。ＲＮＣ１０からの受信データについて物理レイヤのフレーム変換処理を行い、通信データを呼処理制御部２２へ転送する。また、呼処理制御部２２からの受信データについて、伝送路規格のフレーム化を行いＲＮＣ１０へと転送する。
【００３４】
呼処理制御部２２は、呼に対してＢＢ処理部２４のリソースの管理と、管理に基づいた通信データの転送処理を担う。ＲＮＣ１０から転送された新規の呼に対して、ＢＢ処理部２４のリソースの使用状況を加味し、転送された新規の呼を処理するリソースの設定を行い、以降は設定に基づいて通信データのスイッチング処理を行う。
【００３５】
ＢＢ処理部２４は、呼処理制御部２２から受信した各ＵＥ３０への通信データとＲＦ部２５から受信した各ＵＥ３０からの通信データについて、Ｗ−ＣＤＭＡに基づくベースバンド信号処理を担う。呼処理制御部２２から受信した各ＵＥ３０への通信データについて、Ｗ−ＣＤＭＡに基づく符号化処理、無線フレーム化、拡散処理、多重処理、変調処理を行い、ＲＦ部２５に転送する。また、ＲＦ部２５からの通信データについて、Ｗ−ＣＤＭＡに基づく分離処理、逆拡散処理、復号処理を行い、呼処理制御部２２へと転送する。ＢＴＳ２０とＵＥ３０間においてＷ−ＣＤＭＡの無線リンクを確立するためのＣＨ（共通ＣＨ）を生成する機能を持つ。
【００３６】
ＲＦ部２５は、無線信号の変換処理とＵＥ３０との無線の送信、受信処理を担う。
【００３７】
予約情報ＣＨ生成部２３は、ＵＥ３０に発信予約の情報を転送するために使用する専用の下り無線物理ＣＨ（予約情報ＣＨ）を生成する役割を担う。生成された予約情報ＣＨは、ＢＢ処理部２４においてＷ−ＣＤＭＡの拡散処理を受け、他の共通ＣＨと多重されてＲＦ部２５より無線送信される。
【００３８】
次に、ＵＥ３０の構成について説明する。図２は、ＵＥの構成を示す図である。図２において、ＵＥ３０は、ＲＦ部３１、ＢＢ処理部３２、制御部３３、表示部３４、操作部３５を備える。
【００３９】
ＲＦ部３１は、無線信号の変換処理とＢＴＳ２０との無線の送信、受信処理を担う。
【００４０】
ＢＢ処理部３２は、通信データについてＷ−ＣＤＭＡに基づくベースバンド信号処理を担う。無線物理ＣＨの終端処理を行い、通信データの拡散処理、逆拡散処理、変復調処理を行う。
【００４１】
制御部３３は、ＵＥ３０の内部における各種機能部の制御を行う。ここでは、特に発信予約情報に基づきＵＥ３０の予約待ち状態を管理する役割を担う。
【００４２】
表示部３４は、ＵＥ３０を使用するユーザに対して一般的に視覚的に情報を表示するための機能部である。ここでは、特に発信予約情報に係る表示を行う。
【００４３】
操作部３５は、ＵＥ３０を使用するユーザがＵＥ３０を操作するための機能部である。
【００４４】
次に、移動体通信システムの動作について説明する。一般にＵＥ３０の電源がＯＮしている場合、ＵＥ３０は、ＵＥ３０が存在するエリアをカバーするＢＴＳ２０との無線リンク（共通ＣＨの同期）の確立がなされており、位置情報がＲＮＣ１０に登録された状態にある。ＵＥ３０とＲＮＣ１０は、共通ＣＨを介して通信可能な状態であり、発信や着信の要求や応答は、ＲＮＣ１０とＵＥ３０間における共通ＣＨを介して行われる。ここで、ＲＮＣ１０・ＢＴＳ２０間の通信、ＢＴＳ２０・ＵＥ３０間の通信には、各機能部による伝送路処理、Ｗ−ＣＤＭＡに基づくベースバンド処理と無線送受信処理が介在している。
【００４５】
図３は、本発明の第１の実施例に係る移動体通信システムにおける発信予約までの動作を示すフローチャートである。
【００４６】
ＵＥ３０から、共通ＣＨを介して発信要求（ステップＳ１１）を受けたＲＮＣ１０は、ＵＥ３０が位置するＢＴＳ２０の個別ＣＨのリソースを確認する（ステップＳ１２）。
【００４７】
個別ＣＨのリソースに空きがある場合（ステップＳ１３のＹｅｓ）、ＵＥ３０にリソースを割り当てて、ＢＴＳ２０に対して個別ＣＨの設定を行う（ステップＳ１８）。ＵＥ３０に対しては、共通ＣＨを介して使用する個別ＣＨのパラメータ（拡散符号や拡散率などの情報）の通知がなされる。これによりＢＴＳ２０とＵＥ３０間で個別ＣＨのリンクが確立され、ＲＮＣ１０とＵＥ３０間で呼接続が可能な状態となる。同様のリンク確立が接続先の端末（固定電話や移動体端末）に対してもなされ、両者のリンクが接続されることで呼が接続される。
【００４８】
また、ＵＥ３０からＲＮＣ１０への発信要求に対して、ＢＴＳ２０の個別ＣＨのリソースに空きがない状態であった場合、すなわち、ＵＥ３０から発信要求を受け付けたＲＮＣ１０の呼接続変換部１２が、ＢＴＳ２０の個別ＣＨのリソースに空きがないと判断した場合（ステップＳ１３のＮｏ）、ＵＥ３０の発信要求を予約のため発信情報記憶部１４に格納する（ステップＳ１４）。発信情報記憶部１４に格納される情報としては、発信要求したＵＥ３０の識別情報、発信要求内容の情報を含み、発信要求順で順位付けがなされるものとする。
【００４９】
発信予約が完了したＲＮＣ１０は、ＵＥ３０に対して予約状況を通知・更新するために、ＢＴＳ２０に対して予約情報ＣＨの送信制御を行う（ステップＳ１５）。
【００５０】
呼接続変換部１２は、ＢＴＳ制御部１３に対して、発信情報記憶部１４の情報から新規に予約したＵＥ３０の識別情報と予約順、また全体予約数（現在、ＢＴＳ２０のエリアにおいて発信予約しているＵＥ３０の全体数）を通知し、制御メッセージの送信要求を行う。制御メッセージ送信要求を受けたＢＴＳ制御部１３は、呼接続変換部１２からの予約情報を制御メッセージのフォーマットに変換して、ＢＴＳ２０に対して送信する。制御メッセージは、ＢＴＳ２０内の予約情報ＣＨ生成部２３へとスイッチングされて入力される。
【００５１】
予約情報ＣＨ生成部２３は、ＲＮＣ１０から受信した制御メッセージに基づき、発信予約の情報を予約情報ＣＨにのせて送信して、ＵＥ３０に対して通知する（ステップＳ１６）。予約情報ＣＨは、ＢＴＳ２０−ＵＥ３０間の無線転送の物理レイヤの共通ＣＨである。予約情報通知のために既存の共通ＣＨを使用せず、通知用に新たなＣＨを定義することで、移動体通信システムへの適用を容易にすることができる。
【００５２】
図４は、予約情報ＣＨの無線フレームフォーマットの例を示す図である。予約情報ＣＨの無線フレームを例えば１０ｍｓとする。チップレートは、Ｗ−ＣＤＭＡに基づく３．８４ＭＨｚとし、１０ｍｓを２５６０チップ単位のスロット０〜１４に分ける。スロット０を、全発信予約数の設定範囲、スロット１を報知メッセージの設定範囲、スロット２をＵＥ３０指定のメッセージの設定範囲とする。
【００５３】
スロット０の全発信予約数は、現在、ＢＴＳ２０のエリアにおいて発信予約をしている総ＵＥ３０数を示す。送信先のＵＥ３０の指定はなく、予約情報ＣＨを受信した全てのＵＥ３０において参照可能な情報とする。
【００５４】
スロット１の報知メッセージは、発信予約中の全てのＵＥ３０に対する共通の制御メッセージを示す。予約情報ＣＨを受信した全てのＵＥ３０において参照可能とし、本メッセージは、予約状況の更新を全てのＵＥ３０に一斉通知するために使用される。
【００５５】
スロット２におけるＵＥ指定のメッセージは、送信先のＵＥ３０の識別情報（ＵＥ  ＩＤ）を含み、個別のＵＥ３０に対する制御メッセージを示す。新規に発信予約されたＵＥ３０に対して、発信予約状態への移行を指示するために使用される。
【００５６】
なお、以上の無線フレームへの情報の割り当ては、一例であって、発信予約情報を通知可能であれば、別の構成であってもよいことは言うまでもない。
【００５７】
ＲＮＣ１０から受信した制御メッセージに基づき予約情報ＣＨの各情報が設定されて、予約情報ＣＨ生成部２３からＢＢ処理部２４へと入力される。ＢＢ処理部２４において、予約情報ＣＨは、他の共通ＣＨ、個別ＣＨ同様にＷ−ＣＤＭＡに基づく拡散処理を受けて、他のＣＨと多重される。予約情報ＣＨの拡散率は固定とし、拡散符号については、あらかじめ決まった符号を割り当てること、また送信に応じて変更することも可能とする。変更可能とする場合、使用する拡散符号の情報は、共通ＣＨを介してＵＥ３０に対して通知される。ＢＢ処理部２４において他のＣＨと拡散多重された予約情報は、ＲＦ部２５に入力されて無線信号に変換され、ＢＴＳ２０のエリア内の各ＵＥ３０に対して送信される（ステップＳ１６）。
【００５８】
各ＵＥ３０では、ＲＦ部３１において受信した無線信号を電気信号に変換し、ＢＢ処理部３２においてＷ−ＣＤＭＡの分離処理、逆拡散処理、復号処理を行い、予約情報ＣＨを取り出す。あらたに発信予約されたＵＥ３０であった場合、予約情報ＣＨのＵＥ指定のメッセージを元に、識別情報から自身宛のメッセージを識別し、メッセージに格納された指示に従い、発信予約状態へと移行する（ステップＳ１７）。メッセージには、自身の予約順番の情報を含み、予約情報ＣＨを処理する制御部３３により表示部３４に対してその情報が反映され、ユーザにおいて認識可能とする。
【００５９】
発信予約状態のＵＥ３０における表示例を図５に示す。この例では、発信予約状態であることを示すメッセージと共に、予約待ち時間、予約順、全発信予約数の情報を表示する。予約順は、ＵＥ３０指定のメッセージによって通知されたＵＥ３０が発信可能となるまでの順番を示す。全発信予約数は、予約情報ＣＨによって全ＵＥ３０に対して報知された、現在、ＢＴＳ２０のエリアにおいて発信予約をしている総ＵＥ数を示す。予約待ち時間は、ＵＥ３０が発信予約状態になってからの経過時間を示す。ＵＥ３０内の図示されないカウンタにおいてカウントした時間を秒単位で表示する。新規にＵＥ３０の発信予約があった場合に、既に発信予約待ち状態のＵＥ３０は、自身の予約順には変更がないため、予約情報ＣＨの全発信予約数の加算のみ更新する。また、発信要求をしていないＢＴＳ２０のエリア内のＵＥ３０においても、予約情報ＣＨの全発信予約数の情報は参照可能とする。
【００６０】
次に、発信予約に基づく呼の接続方法と発信予約情報の更新について説明する。図６は、予約に基づく呼の接続を示すフローチャートである。
【００６１】
ＢＴＳ２０の個別ＣＨの空きがない状態から、呼が切断されて個別ＣＨに空きが生じた場合（ステップＳ２１）、ＲＮＣ１０は、発信情報記憶部１４に格納された予約情報を参照する。発信情報記憶部１４に予約情報がない場合（ステップＳ２２のＮｏ）は、ＵＥ３０や公衆網側からの発着信要求待ち状態となる（ステップＳ２７）。
【００６２】
一方、発信情報記憶部１４に予約情報がある場合（ステップＳ２２のＹｅｓ）、格納された最若番の発信要求に従い、呼の接続を行う。先に述べた手順において、最若番のＵＥ３０に空きリソースを割り当てて、ＢＴＳ２０に対して個別ＣＨの設定を行う。ＵＥ３０に対しては、共通ＣＨを介して、使用する個別ＣＨのパラメータ（拡散符号や拡散率などの情報）の通知がなされ、ＵＥは発信予約状態から発信状態に移行する（ステップＳ２３）。これにより、ＢＴＳ２０とＵＥ３０間で個別ＣＨのリンクが確立され、ＲＮＣ１０とＵＥ３０間で呼接続が可能な状態とする。この時、ＵＥ３０は、接続したことをユーザに通知するために、通知音やバイブするなどの機能を持たせることも可能である。さらに、発信要求内容がメール送信であった場合は、呼接続にともないＵＥ３０から自動でメール送信を行い、ユーザに対してはメール送信の完了通知処理を行うことも可能である。
【００６３】
次に、他の発信予約中のＵＥ３０に対しては、予約情報の更新がなされる。予約情報ＣＨを使用して、全発信予約数のデクリメントと、予約順のデクリメントを通知する。ＲＮＣ１０は、１つ減らした全発信予約数とＵＥ３０に対して予約順のデクリメントを求めるための制御メッセージをＢＴＳ２０に対して送信する（ステップＳ２４）。制御メッセージは、ＢＴＳ２０の予約情報ＣＨ生成部２３にスイッチングされ、制御メッセージに基づき予約情報ＣＨが生成される。
【００６４】
予約順のデクリメントは、発信予約中の各ＵＥ３０に対して共通の更新であるため、予約情報ＣＨの報知メッセージを使用して全ＵＥ３０に対して通知される（ステップＳ２５）。
【００６５】
予約情報ＣＨを受信した発信予約状態のＵＥ３０は、発信予約全体数を更新し、また報知メッセージの指示に従い予約順のデクリメントを実行する。いすれの情報もＵＥ３０の表示部３４に反映される（ステップＳ２６）。
【００６６】
以上のフローを繰り返すことで、個別ＣＨの空きに応じて発信予約状態のＵＥ３０に対して優先的に呼接続が提供される。
【００６７】
以上、発信予約と呼接続に伴う発信予約情報の更新について説明したが、発信予約情報の更新については、別のケースについても想定されるため、それについて説明を行う。
【００６８】
発信予約状態のＵＥ３０は、ユーザの判断で発信予約状態の解除が可能であるとする。発信予約状態のＵＥ３０に対して、ユーザは、操作部３５から待受けのキャンセルを入力することで、発信予約状態が解除される。この場合、ＵＥ３０は、発信予約を解除したことを、共通ＣＨを使用してＲＮＣ１０に対して通知する。
【００６９】
通知を受けたＲＮＣ１０は、発信情報記憶部１４の発信予約から当該ＵＥ３０の予約を削除し、他の発信予約状態のＵＥ３０に対して予約情報の更新を指示する。予約情報の更新は、同じくＢＴＳ２０からの予約情報ＣＨを使用してなされる。ここで、全発信予約数のデクリメントは、全ＵＥ３０に対して共通指示であるが、予約順のデクリメントは、発信予約をキャンセルしたＵＥ３０よりも順番の遅いＵＥ３０に対してのみ指示する必要がある。そこで、予約情報ＣＨの報知メッセージによって、『予約順Ｎ番以上のＵＥ３０（Ｎは、キャンセルしたＵＥ３０の予約順）』と限定して予約順のデクリメントを指示する。予約情報ＣＨを受信したＵＥ３０は、指示に従い予約情報の更新を行う。
【００７０】
また、別のケースとして、発信予約状態のＵＥ３０が別のＢＴＳ２０がカバーするエリアに移動する場合が想定される。移動した発信予約状態のＵＥ３０は、移動元のＢＴＳ２０に対する発信予約の解除を行う。この解除は、ＵＥ３０の制御部３３によって自動に行われるものとする。ＵＥ３０は、上記と同じく、発信予約を解除したことを、共通ＣＨを使用してＲＮＣ１０に対して通知する。そして、ＲＮＣ１０によりキャンセルに応じての予約情報の更新がなされる。移動したＵＥ３０は、移動先のＢＴＳ２０に対して新たに発信処理を行う。移動先のＢＴＳ２０の個別ＣＨに空きがあれば、呼が接続される。移動先のＢＴＳ２０の個別ＣＨにも空きがない場合には、移動先であらたに発信予約がなされる。
【００７１】
以上の動作により、ＢＴＳ２０の個別ＣＨのリソースに空きがない場合にＵＥ３０から要求された発信について、それをＲＮＣ１０で記憶し、個別ＣＨの空きに応じて発信したＵＥ３０の順に優先的に接続することが可能となる。また、予約情報ＣＨを使用して発信予約の状況の通知・更新を行うことで、ＵＥ３０側において変化する発信予約の状況を確認することができる。これにより、通信の混雑時にＵＥ３０からの不要な発信を削減することを可能とする。
【実施例２】
【００７２】
一般にＲＮＣ１０には、伝送路処理部を介して複数のＢＴＳ２０が接続され、ＲＮＣ１０はそれらを制御する役割を担っている。第１の実施例では、ＲＮＣ１０とＢＴＳ２０について、１対１の構成における発信予約の方法について説明したが、複数台のＢＴＳ２０を１台のＲＮＣ１０において管理する構成であっても、本発明は、適用可能である。この場合、ＲＮＣ１０の発信情報記憶部１４の記憶情報を、接続される複数台のＢＴＳ２０のそれぞれに対応して構成し、それぞれのＢＴＳ２０に対する発信予約を第１の実施例に基づいて管理することで実現可能である。
【００７３】
第１の実施例において、発信予約中のＵＥ３０が別のＢＴＳ２０のエリアに移動した場合の発信予約情報の更新方法について説明した。これに対し、ＲＮＣ１０と複数台のＢＴＳ２０によって構成されるシステムの場合では、ＵＥ３０が発信予約した時刻を発信情報記憶部１４に格納する情報に追加することで、そのＵＥ３０の発信予約をキャンセルせずに引き継ぐことを可能とする。
【００７４】
ここでは説明の簡略化のため、ＲＮＣ１０に対して２台のＢＴＳ２０ａ（ＢＴＳａ）、ＢＴＳ２０ｂ（ＢＴＳｂ）が接続された構成図を図７に示す。本構成におけるＲＮＣ１０、ＢＴＳ２０ａ、２０ｂは、第１の実施例に示した各機能部を有し、本発明に対応したものとする。
【００７５】
ＢＴＳ２０ａ、２０ｂの各エリアにおいて個別ＣＨのリソースに空きがない場合、発信要求はそれぞれ発信情報記憶部１４において分けて予約管理を行う。すなわち、ＢＴＳ２０ａ、２０ｂ用の発信情報１４ａ、１４ｂが個別に管理される。また、ＢＴＳ２０ａ、２０ｂ間の発信予約の引継ぎを可能とするために発信情報記憶部１４に格納する情報にＲＮＣ１０がＵＥ３０から発信要求を受け付けた時間のタイムスタンプを加える。
【００７６】
図８は、図７における発信情報記憶部１４のデータ構成の例を示す図である。ＢＴＳ２０ａ、２０ｂ共に個別ＣＨのリソースに空きがなく発信予約された状態とする。この状態で、発信予約しているＵＥ３０のユーザＵｓｒ＿ＣがＢＴＳ２０ａの接続可能エリアＡからＢＴＳ２０ｂの接続可能エリアＢに移動したとする。ＲＮＣ１０は、発信情報記憶部１４に格納されたタイムスタンプ（ｘｘ：ｘｘ：１２）の情報から予約順を考慮して、ＢＴＳ２０ｂの発信予約にユーザＵｓｒ＿Ｃの情報を格納する（図８の例では２番目に格納される）。ＢＴＳ２０ａのエリアに存在するＵＥに対しては、第１の実施例に基づきユーザＵｓｒ＿Ｃのキャンセルに伴う予約更新処理を行い、ＢＴＳ２０ｂのエリアに存在するＵＥに対しては、ユーザＵｓｒ＿Ｃの追加に伴う予約更新処理をそれぞれ行う。
【００７７】
このような移動体通信システムによれば、以上のような予約更新処理により、ＢＴＳ間において発信時間を考慮して予約情報を引き継ぐことを可能とする。
【００７８】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００７９】
【図１】本発明の第１の実施例に係る移動体通信システムの構成を示すブロック図である。
【図２】ＵＥの構成を示す図である。
【図３】本発明の第１の実施例に係る移動体通信システムにおける発信予約までの動作を示すフローチャートである。
【図４】予約情報ＣＨの無線フレームフォーマットの例を示す図である。
【図５】発信予約状態のＵＥにおける表示例を示す図である。
【図６】本発明の第１の実施例に係る移動体通信システムにおける予約に基づく呼の接続を示すフローチャートである。
【図７】本発明の第２の実施例に係る移動体通信システムの構成を示すブロック図である。
【図８】本発明の第２の実施例に係る移動体通信システムの発信情報記憶部のデータ構成の例を示す図である。
【符号の説明】
【００８０】
１０  ＲＮＣ（無線ネットワーク制御装置）
１１、２１  伝送路インタフェース部
１２  呼接続変換部
１３  ＢＴＳ制御部
１４  発信情報記憶部
１４ａ、１４ｂ  発信情報
２０、２０ａ、２０ｂ  ＢＴＳ（無線基地局装置）
２２  呼処理制御部
２３  予約情報ＣＨ生成部
２４、３２  ＢＢ処理部
２５、３１  ＲＦ部
３０  ＵＥ（移動機）
３３  制御部
３４  表示部
３５  操作部
４０  ＣＮ（コアネットワーク）
【図１】
2009141409.tif 000003
【図２】
2009141409.tif 000004
【図３】
2009141409.tif 000005
【図４】
2009141409.tif 000006
【図５】
2009141409.tif 000007
【図６】
2009141409.tif 000008
【図７】
2009141409.tif 000009
【図８】
2009141409.tif 000010